(57)【特許請求の範囲】
【請求項１】
絶縁基板と、
同心な２つの内外接点を構成する内側接点及び外側接点であって、前記絶縁基板の一面に形成された前記内側接点である中央固定接点パターン及び該中央固定接点パターンを包囲するように前記絶縁基板の前記一面に形成された前記外側接点である周辺固定接点パターンと、
押圧により変形可能なバネ性を有する金属薄板からなり、上面視円形の対向する両側部が平行な直線で切り欠かれた小判形で、上方に膨らんだ球面のドーム状に形成され、前記中央固定接点パターンを跨いで前記周辺固定接点パターン上に載置され、両端部が前記周辺固定接点パターンに当接すると共に、中央部が前記中央固定接点パターンと離間対向する可動接点とを備え、
該可動接点を押圧により変形すると、前記可動接点の中央部が前記中央固定接点パターンに当接し、前記中央固定接点パターンと前記周辺固定接点パターンとの間が前記可動接点を介して電気的に導通接続されたスイッチオン状態となるスイッチにおいて、
前記中央固定接点パターンには、前記可動接点の切り欠かれた両側の直線状部分の垂直二等分線上を避けて、前記可動接点の切り欠かれた両側の直線状部分のどちらか一方の下側を通過し、該中央固定接点パターンから前記可動接点の外周側へ引き出す引出部が設けられ、
前記周辺固定接点パターンには、前記引出部を通して該周辺固定接点パターンの外周側へ引き出すための切れ間が設けられ、
前記引出部が、該引出部と前記可動接点との間で電気的な絶縁を確保するための絶縁体により被覆されていることを特徴とするスイッチ。
【請求項２】
前記引出部が、前記可動接点の切り欠かれた両側の直線状部分の垂直二等分線と平行であって、前記可動接点の切り欠かれた両側の直線状部分と直交する直線上で引き出されていることを特徴とする請求項１に記載のスイッチ。
【請求項３】
前記引出部が、前記可動接点の切り欠かれた両側の直線状部分の垂直二等分線を対称軸とし、前記可動接点の切り欠かれた両側の直線状部分と直交する平行な直線上で引き出されていることを特徴とする請求項２に記載のスイッチ。
【発明の詳細な説明】
【技術分野】
【０００１】
本発明は、各種電子機器の操作用スイッチとして使用されるスイッチに関し、特に押圧により変形可能なバネ性を有するドーム状金属薄板からなる可動接点を絶縁基板の一面に搭載し、該絶縁基板の一面に形成されたパターンを可動接点により短絡させるスイッチに関する。
【背景技術】
【０００２】
先ず、押圧により変形可能なバネ性を有する円形のドーム状金属薄板からなる可動接点を使用した従来のスイッチを図３（Ａ），図３（Ｂ）により説明する。図３（Ａ）は同スイッチの上面図、図３（Ｂ）は同スイッチの断面図である。
【０００３】
両図に示すように従来のスイッチは、導電性の材料からなる同心な２つの内外円接点を構成する内円接点である円形の中央固定接点パターン２２と該中央固定接点パターン２２を絶縁ギャップを介して包囲する外円接点である円形環状の周辺固定接点パターン２３とが絶縁基板２１の上面に形成されており、該絶縁基板２１の上面において、中央固定接点パターン２２の外周部の一部分が中央固定接点パターン２２の中心を通る１本の直線上（中央固定接点パターン２２の径方向で）で周辺固定接点パターン２３の外周側へ引き出され、該引出部２４がさらに任意の方向へ延長、引き回しされて中央固定接点パターン２２の配線パターンとされ、また、周辺固定接点パターン２３の外周部の一部分が中央固定接点パターン２２の引出部２４と交差等して電気的に導通接続しないように周辺固定接点パターン２３の外周側へ引き出され、この引出部２５がさらに任意の方向へ延長、引き回しされて周辺固定接点パターン２３の配線パターンとされている。
【０００４】
ここで、中央固定接点パターン２２の引出部２４は、周辺固定接点パターン２３で包囲された中央固定接点パターン２２から周辺固定接点パターン２３の外周側へ引き出されるため、周辺固定接点パターン２３が完全に閉じた環状に形成されていると、中央固定接点パターン２２の引出部２４は、周辺固定接点パターン２３の一部分と交差して電気的に導通接続してしまう。そこで、周辺固定接点パターン２３の一部分に切れ間２３ａを設け、周辺固定接点パターン２３を一部分開放の環状（Ｃ字状）とし、中央固定接点パターン２２の引出部２４は、切れ間２３ａを通して周辺固定接点パターン２３の外周側へ引き出すことにより、周辺固定接点パターン２３との間で電気的な絶縁を確保している。
【０００５】
そして、絶縁基板２１の上面には、絶縁フィルム（カバーレイ）２６が接着剤で固定されており、該絶縁フィルム２６に設けられた円形の孔部２６ａから中央固定接点パターン２２と周辺固定接点パターン２３とが露出され、中央固定接点パターン２２の引出部２４の延長部である配線パターンと周辺固定接点パターン２３の引出部２５の延長部である配線パターンとが絶縁フィルム２６により被覆され保護されている。
【０００６】
また、絶縁フィルム２６の孔部２６ａ内には、押圧により変形可能なバネ性を有する円形のドーム状金属薄板からなる可動接点２７が中央固定接点パターン２２を跨いで下端周縁部を周辺固定接点パターン２３の上に載置して収容されており、該可動接点２７が粘着シート２８により絶縁基板２１に貼着保持されている。この際、可動接点２７は、下端周縁部が周辺固定接点パターン２３と当接した状態となっていると共に、中央部が中央固定接点パターン２２と離間対向した状態となっている。上面視において、中央固定接点パターン２２の引出部２４は、可動接点２７に対しても、該可動接点２７の中心を通る１本の直線上で（可動接点２７の径方向で）周辺固定接点パターン２３の外周側へ引き出された状態となっている。
【０００７】
ここで、中央固定接点パターン２２の引出部２４は、切れ間２３ａを通して周辺固定接点パターン２３の外周側へ引き出すだけでは、可動接点２７の搭載時、可動接点２７の下端周縁部と当接して可動接点２７と電気的に導通接続した状態となってしまう。そこで、絶縁フィルム２６に孔部２６ａ内に突出する突出部２９を設け、中央固定接点パターン２２の引出部２４は、突出部２９により被覆し、可動接点２７の下端周縁部との間に突出部２９を介在させることにより、可動接点２７との間で電気的な絶縁を確保している。
【０００８】
従来のスイッチの動作は、可動接点２７のドーム形状の反映された粘着シート２８の上にキートップを配し、粘着シート２８の中央部をキートップを介して押圧操作すると、図３（Ｂ）の仮想線に示すように、可動接点２７の中央部が下方凸状に反転動作して、クリック感触が生起され、可動接点２７の中央部が中央固定接点パターン２２に当接し、中央固定接点パターン２２と周辺固定接点パターン２３との間が可動接点２７を介して電気的に導通接続されたスイッチオン状態となり、また、押圧を解除すると、可動接点２７の下方凸状に反転している中央部がそのバネ性により自動的に元の上方凸状に復帰し、よって可動接点２７の中央部が中央固定接点パターン２２から離間してスイッチオフ状態となる。
【０００９】
従来のスイッチの組み立ては、絶縁基板２１の上面に絶縁フィルム２６を重ね合わせて絶縁フィルム２６を加熱・加圧し、絶縁フィルム２６の下面に設けられた接着剤によって絶縁フィルム２６を絶縁基板２１に接着した後、予め可動接点２７が貼着された粘着シート２８を絶縁フィルム２６に貼り合せることにより、可動接点２７を孔部２６ａ内の周辺固定接点パターン２３上に載置して保持することによって完了する。
【００１０】
続いて、押圧により変形可能なバネ性を有する小判形のドーム状金属薄板からなる可動接点を使用した従来の他のスイッチを図４（Ａ），図４（Ｂ）により説明する。図４（Ａ）は同スイッチの上面図、図４（Ｂ）は同スイッチの断面図である。
【００１１】
両図に示すように従来の他のスイッチは、導電性の材料からなる同心な２つの内外接点を構成する内側接点である円形の中央固定接点パターン３２と該中央固定接点パターン３２を絶縁ギャップを介して包囲する外側接点である小判形環状の周辺固定接点パターン３３とが絶縁基板３１の上面に形成されており、該絶縁基板３１の上面において、中央固定接点パターン３２の外周部の一部分が中央固定接点パターン３２の中心を通り、且つ、周辺固定接点パターン３３の両側の直線状部分のそれぞれの中点を通り、周辺固定接点パターン３３の両側の直線状部分と直交する１本の直線上、すなわち、周辺固定接点パターン３３の両側の直線状部分の垂直二等分線上で周辺固定接点パターン３３の外周側へ引き出され、該引出部３４がさらに任意の方向へ延長、引き回しされて中央固定接点パターン３２の配線パターンとされ、また、周辺固定接点パターン３３の外周部の一部分が中央固定接点パターン３２の引出部３４と交差等して電気的に導通接続しないように周辺固定接点パターン３３の外周側へ引き出され、該引出部３５がさらに任意の方向へ延長、引き回しされて周辺固定接点パターン３３の配線パターンとされている。
【００１２】
ここで、中央固定接点パターン３２の引出部３４は、周辺固定接点パターン３３で包囲された中央固定接点パターン３２から周辺固定接点パターン３３の外周側へ引き出されるため、周辺固定接点パターン３３が完全に閉じた環状に形成されていると、中央固定接点パターン３２の引出部３４は、周辺固定接点パターン３３の一部分（周辺固定接点パターン３３の両側の直線状部分のどちらか一方の中点部分）と交差して電気的に導通接続してしまう。そこで、周辺固定接点パターン３３の一部分（中央固定接点パターン３２の引出部３４と交差する部分）に切れ間３３ａを設け、周辺固定接点パターン３３を一部分開放の環状（Ｃ字状）とし、中央固定接点パターン３２の引出部３４は、切れ間３３ａを通して周辺固定接点パターン３３の外周側へ引き出すことにより、周辺固定接点パターン３３との間で電気的な絶縁を確保している。
【００１３】
そして、絶縁基板３１の上面には、絶縁フィルム（カバーレイ）３６が接着剤で固定されており、該絶縁フィルム３６に設けられた小判形の孔部３６ａから中央固定接点パターン３２と周辺固定接点パターン３３とが露出され、中央固定接点パターン３２の引出部３４の延長部である配線パターンと周辺固定接点パターン３３の引出部３５の延長部である配線パターンとが絶縁フィルム３６により被覆され保護されている。
【００１４】
また、絶縁フィルム３６の孔部３６ａ内には、上述の従来のスイッチで可動接点２７として使用した、押圧により変形可能なバネ性を有する円形のドーム状金属薄板の対向する両側部を平行な直線で切り欠いた小判形のドーム状金属薄板からなる可動接点、すなわち、押圧により変形可能なバネ性を有する金属薄板からなり、上面視円形の対向する両側部が平行な直線で切り欠かれた小判形で、上方に膨らんだ球面のドーム状に形成された可動接点３７が中央固定接点パターン３２と該中央固定接点パターン３２の引出部３４を跨いで、該可動接点３７が切り欠かれた両側の直線状部分と直角の方向で対向している両端の円弧状部分で構成された下端周縁部を周辺固定接点パターン３３の両側の直線状部分と直角の方向で対向している両端の円弧状部分の上に載置して収容されており、該可動接点が粘着シート３８により絶縁基板３１に貼着保持されている。この際、可動接点３７は、両端の下端周縁部が周辺固定接点パターン３３と当接した状態となっていると共に、中央部が中央固定接点パターン３２と離間対向した状態となっている。上面視において、中央固定接点パターン３２の引出部３４は、可動接点３７に対しても、該可動接点３７の中心を通り、且つ、可動接点３７の両側の直線状部分のそれぞれの中点を通り、可動接点３７の両側の直線状部分と直交する１本の直線、すなわち、可動接点３７の両側の直線状部分の垂直二等分線上で周辺固定接点パターン３３の外周側へ引き出された状態となっており、よって中央固定接点パターン３２の引出部３４は、可動接点３７の切り欠かれた両側の直線状部分のどちらか一方の中点部分の直下を絶縁ギャップを持って通過して、該可動接点３７の外周側へ引き出された状態となっている。
【００１５】
ここで、中央固定接点パターン３２の引出部３４は、切れ間３３ａを通して周辺固定接点パターン３３の外周側へ引き出すだけでも、可動接点３７の搭載時、該可動接点３７の切り欠かれた両側の直線状部分のどちらか一方の中点部分の直下を絶縁ギャップを持って通過するものの、該絶縁ギャップだけでは可動接点３７との間で電気的な絶縁が確実に確保されているとは言いにくい。そこで、絶縁フィルム３６に孔部３６ａ内に突出する突出部３９を設け、中央固定接点パターン３２の引出部３４は、突出部３９により被覆し、可動接点３７の切り欠かれた両側の直線状部分の一方の中点部分との間に突出部３９を介在させることにより、可動接点３７との間に電気的な絶縁を確保している。
【００１６】
従来の他のスイッチの動作は、可動接点３７のドーム形状の反映された粘着シート３８の上にキートップを配し、粘着シート３８の中央部をキートップを介して押圧操作すると、可動接点３７の中央部が下方凸状に反転動作して、クリック感触が生起され、可動接点３７の中央部が中央固定接点パターン３２に当接し、中央固定接点パターン３２と周辺固定接点パターン３３との間が可動接点３７を介して電気的に導通接続されたスイッチオン状態となり、また、押圧を解除すると、可動接点３７の下方凸状に反転している中央部がそのバネ性により自動的に元の上方凸状に復帰し、よって可動接点３７の中央部が中央固定接点パターン３２から離間してスイッチオフ状態となる。
【００１７】
従来の他のスイッチの組み立ては、絶縁基板３１の上面に絶縁フィルム３６を重ね合わせて絶縁フィルム３６を加熱・加圧し、絶縁フィルム３６の下面に設けられた接着剤によって絶縁フィルム３６を絶縁基板３１に接着した後、予め可動接点３７が貼着された粘着シート３８を絶縁フィルム３６に貼り合せることにより、可動接点３７を孔部３６ａ内の周辺固定接点パターン３３上に載置して保持することによって完了する。
【００１８】
上述した従来のスイッチ構造及び従来の他のスイッチ構造は、例えば、特許文献１〜７等で知られている。
【先行技術文献】
【特許文献】
【００１９】
【特許文献１】特開２００５−３１７４７８号公報
【特許文献２】特開２００７−９５５７４号公報
【特許文献３】特開２００８−１２３９４５号公報
【特許文献４】特開平７−３２０５９１号公報
【特許文献５】特開２００５−７１７８３号公報
【特許文献６】特開２００９−２４５７５１号公報
【特許文献７】特開２００８−２５１１７８号公報
【発明の概要】
【発明が解決しようとする課題】
【００２０】
各種電子機器の小型化に伴って操作用スイッチの取り付けスペースが減少し、操作用スイッチの小型化が強く求められている中で、従来の他のスイッチ構造の最大の特徴は、可動接点が小判形のドーム形状となっているため、可動接点が円形のドーム形状となっている従来のスイッチ構造よりも小型化しやすいという点にあり、よって小型の操作スイッチほど、従来の他のスイッチ構造を採用するケースが多くなっている。
【００２１】
しかしながら、従来の他のスイッチ構造では、周辺固定接点パターンの外周側への中央固定接点パターンの引き出しについて、可動接点が小判形のドーム形状となっており、該可動接点の中心より見て両側の切り欠かれた直線状部分のどちらか一方と直交する方向（図４の矢印に示すａ方向）で行われ、中央固定接点パターンの引出部を被覆する突出部、すなわち、絶縁体が、可動接点が円形のドーム形状となっている従来のスイッチ構造のそれよりも可動接点の中心近くまで入り込んだ形となっているため、可動接点の中心とキートップの中心とがずれてセットされる等で、可動接点が偏心押しされた場合（可動接点がこの中心からずれた部分で押圧された場合）、クリック感触に大きなバラつきを生じ、安定したクリック感触を得にくいという問題があった。
【００２２】
具体的には、可動接点が中心より中央固定接点パターンの引き出し方向（図４の矢印に示すａ方向）で偏心押しされた場合、該可動接点の切り欠かれた両側の直線状部分の垂直二等分線上のある点が最下点となることから、可動接点が中心より中央固定接点パターンの引き出し方向と反対方向（図４の矢印に示すｂ方向）及び中央固定接点パターンの引き出し方向と直角の方向（図４の矢印に示すｃ方向及びｄ方向）、すなわち、中央固定接点パターンの引き出し方向以外の方向で偏心押しされた場合、どの方向でも可動接点は動作時に絶縁体に干渉しにくい又は干渉しないため、略同じクリック感触が得られる。一方、可動接点が中心より中央固定接点パターンの引き出し方向で偏心押しされた場合、可動接点は動作時に絶縁体に干渉しやすい又は干渉するため、この場合のクリック感触は可動接点が中心より中央固定接点パターンの引き出し方向以外で偏心押しされた場合のそれよりも大きく劣化し大きな差を生じることになる。
【００２３】
本発明は、上記問題に鑑みてなされたもので、その目的は、押圧により変形可能なバネ性を有する小判形のドーム状金属薄板からなる可動接点を使用しながら、偏心押しに対するクリック感触のバラつきを抑制し、安定したクリック感触を得ることができるスイッチを提供することにある。
【課題を解決するための手段】
【００２４】
上記課題を解決するため本発明では第１の手段として、絶縁基板と、同心な２つの内外接点を構成する内側接点及び外側接点であって、前記絶縁基板の一面に形成された前記内側接点である中央固定接点パターン及び該中央固定接点パターンを包囲するように前記絶縁基板の前記一面に形成された前記外側接点である周辺固定接点パターンと、押圧により変形可能なバネ性を有する金属薄板からなり、上面視円形の対向する両側部が平行な直線で切り欠かれた小判形で、上方に膨らんだ球面のドーム状に形成され、前記中央固定接点パターンを跨いで前記周辺固定接点パターン上に載置され、両端部が前記周辺固定接点パターンに当接すると共に、中央部が前記中央固定接点パターンと離間対向する可動接点とを備え、該可動接点を押圧により変形すると、前記可動接点の中央部が前記中央固定接点パターンに当接し、前記中央固定接点パターンと前記周辺固定接点パターンとの間が前記可動接点を介して電気的に導通接続されたスイッチオン状態となるスイッチにおいて、前記中央固定接点パターンには、前記可動接点の切り欠かれた両側の直線状部分の垂直二等分線上を避けて、前記可動接点の切り欠かれた両側の直線状部分のどちらか一方の下側を通過し、該中央固定接点パターンから前記可動接点の外周側へ引き出す引出部が設けられ、前記周辺固定接点パターンには、前記引出部を通して該周辺固定接点パターンの外周側へ引き出すための切れ間が設けられ、前記引出部が、該引出部と前記可動接点との間で電気的な絶縁を確保するための絶縁体により被覆されている構成とした。
また、第２の手段として、上記第１の手段において、前記引出部が、前記可動接点の切り欠かれた両側の直線状部分の垂直二等分線と平行であって、前記可動接点の切り欠かれた両側の直線状部分と直交する直線上で引き出されている構成とした。
また、第３の手段として、上記第２の手段において、前記引出部が、前記可動接点の切り欠かれた両側の直線状部分の垂直二等分線を対称軸とし、前記可動接点の切り欠かれた両側の直線状部分と直交する平行な直線上で引き出されている構成とした。
【発明の効果】
【００２５】
本発明によれば、絶縁基板と、同心な２つの内外接点を構成する内側接点及び外側接点であって、前記絶縁基板の一面に形成された前記内側接点である中央固定接点パターン及び該中央固定接点パターンを包囲するように前記絶縁基板の前記一面に形成された前記外側接点である周辺固定接点パターンと、押圧により変形可能なバネ性を有する金属薄板からなり、上面視円形の対向する両側部が平行な直線で切り欠かれた小判形で、上方に膨らんだ球面のドーム状に形成され、前記中央固定接点パターンを跨いで前記周辺固定接点パターン上に載置され、両端部が前記周辺固定接点パターンに当接すると共に、中央部が前記中央固定接点パターンと離間対向する可動接点とを備え、該可動接点を押圧により変形すると、前記可動接点の中央部が前記中央固定接点パターンに当接し、前記中央固定接点パターンと前記周辺固定接点パターンとの間が前記可動接点を介して電気的に導通接続されたスイッチオン状態となるスイッチにおいて、前記中央固定接点パターンには、前記可動接点の切り欠かれた両側の直線状部分の垂直二等分線上を避けて、前記可動接点の切り欠かれた両側の直線状部分のどちらか一方の下側を通過し、該中央固定接点パターンから前記可動接点の外周側へ引き出す引出部が設けられ、前記周辺固定接点パターンには、前記引出部を通して該周辺固定接点パターンの外周側へ引き出すための切れ間が設けられ、前記引出部が、該引出部と前記可動接点との間で電気的な絶縁を確保するための絶縁体により被覆されていることから、前記可動接点の中心より前記引出部の引き出し方向で偏心押しされた場合でも、前記可動接点は動作時に前記絶縁体に干渉しにくく又は干渉しなくなり、押圧により変形可能なバネ性を有する小判形のドーム状金属薄板からなる可動接点を使用しながら、偏心押しに対するクリック感触のバラつきを抑制し、安定したクリック感触を得ることができるスイッチを提供することができる。
また、前記引出部が、前記可動接点の切り欠かれた両側の直線状部分の垂直二等分線と平行であって、前記可動接点の切り欠かれた両側の直線状部分と直交する直線上で引き出されている場合、前記可動接点の切り欠かれた両側の直線状部分の垂直二等分線と平行な１本の引出部により、従来と同等の省スペースで前記中央固定接点パターンを前記周辺固定接点パターンの外周側へ引き出しながら、前記可動接点の前記絶縁体との干渉を抑制することができる。
また、前記引出部が、前記可動接点の切り欠かれた両側の直線状部分の垂直二等分線を対称軸とし、前記可動接点の切り欠かれた両側の直線状部分と直交する平行な直線上で引き出されている場合、前記可動接点の切り欠かれた両側の直線状部分の垂直二等分線を対称軸とする平行な２本の引出部により、導電信頼性を確保しながら前記各引出部の線幅を細くし、前記可動接点の切り欠かれた両側の直線状部分の垂直二等分線と前記各引出部との間の距離（この距離×２＝前記各引出部の線間ギャップ）を大きく確保して、前記可動接点の前記絶縁体との干渉を抑制することができる。
【図面の簡単な説明】
【００２６】
【図１】本発明の実施例１のスイッチを示す（Ａ）上面図、（Ｂ）断面図である。
【図２】本発明の実施例２のスイッチを示す（Ａ）上面図、（Ｂ）断面図である。
【図３】従来のスイッチを示す（Ａ）上面図、（Ｂ）断面図である。
【図４】従来の他のスイッチを示す（Ａ）上面図、（Ｂ）断面側面図である。
【発明を実施するための形態】
【００２７】
以下、本発明の実施形態を図面に基づいて説明する。
【実施例１】
【００２８】
本発明の実施例１のスイッチを図１（Ａ），図１（Ｂ）により説明する。図１（Ａ）は同スイッチの上面図、図１（Ｂ）は同スイッチの断面図である。
【００２９】
両図に示すように実施例１のスイッチは、導電性の材料からなる同心な２つの内外接点を構成する内側接点である円形の中央固定接点パターン２と該中央固定接点パターン２を絶縁ギャップを介して包囲する外側接点である小判形環状の周辺固定接点パターン３とが絶縁基板１の上面に形成されており、該絶縁基板１の上面において、中央固定接点パターン２の外周部の一部分が中央固定接点パターン２の中心を通り、且つ、周辺固定接点パターン３の両側の直線状部分のそれぞれの中点を通り、周辺固定接点パターン３の両側の直線状部分と直交する１本の直線上、すなわち、周辺固定接点パターン３の両側の直線状部分の垂直二等分線上を避けるように、該垂直二等分線と平行であって、周辺固定接点パターン３の両側の直線状部分と直交する１本の直線上で周辺固定接点パターン３の外周側へ引き出され、該引出部４がさらに任意の方向へ延長、引き回しされて中央固定接点パターン２の配線パターンとされ、また、周辺固定接点パターン３の外周部の一部分が中央固定接点パターン２の引出部４と交差等して電気的に導通接続しないように周辺固定接点パターン３の外周側へ引き出され、該引出部５がさらに任意の方向へ延長、引き回しされて周辺固定接点パターン３の配線パターンとされている。
【００３０】
ここで、中央固定接点パターン２の引出部４は、周辺固定接点パターン３で包囲された中央固定接点パターン２から周辺固定接点パターン３の外周側へ引き出されるため、周辺固定接点パターン３が完全に閉じた環状に形成されていると、中央固定接点パターン２の引出部４は、周辺固定接点パターン３の一部分（周辺固定接点パターン３の両側の直線状部分のどちらか一方の中点部分を避けるように、該中点部分から一端側へずれた部分）と交差して電気的に導通接続してしまう。そこで、周辺固定接点パターン３の一部分（中央固定接点パターン２の引出部４と交差する部分）に切れ間３ａを設け、周辺固定接点パターン３を一部分開放の環状（Ｃ字状）とし、中央固定接点パターン２の引出部４は、切れ間３ａを通して周辺固定接点パターン３の外周側へ引き出すことにより、周辺固定接点パターン３との間で電気的な絶縁を確保している。
【００３１】
そして、絶縁基板１の上面には、絶縁フィルム（カバーレイ）６が接着剤で固定されており、該絶縁フィルム６に設けられた小判形の孔部６ａから中央固定接点パターン２と周辺固定接点パターン３とが露出され、中央固定接点パターン２の引出部４の延長部である配線パターンと周辺固定接点パターン３の引出部５の延長部である配線パターンとが絶縁フィルム６により被覆され保護されている。
【００３２】
また、絶縁フィルム６の孔部６ａ内には、上述の従来のスイッチで可動接点２７として使用した、押圧により変形可能なバネ性を有する円形のドーム状金属薄板の対向する両側部を平行な直線で切り欠いた小判形のドーム状金属薄板からなる可動接点、すなわち、押圧により変形可能なバネ性を有する金属薄板からなり、上面視円形の対向する両側部が平行な直線で切り欠かれた小判形で、上方に膨らんだ球面のドーム状に形成された可動接点７（従来の他のスイッチの可動接点３７と同一）が中央固定接点パターン２と該中央固定接点パターン２の引出部４を跨いで、可動接点７が切り欠かれた両側の直線状部分と直角の方向で対向している両端の円弧状部分で構成された下端周縁部を周辺固定接点パターン３の両側の直線状部分と直角の方向で対向している両端の円弧状部分の上に載置して収容され、該可動接点７が粘着シート８により絶縁基板１に貼着保持されている。この際、可動接点７は、両端の下端周縁部が周辺固定接点パターン３と当接した状態となっていると共に、中央部が中央固定接点パターン２と離間対向した状態となっている。上面視において、中央固定接点パターン２の引出部４は、可動接点７に対しても、該可動接点７の中心を通り、且つ、可動接点７の切り欠かれた両側の直線状部分のそれぞれの中点を通り、可動接点７の両側の直線状部分と直交する１本の直線上、すなわち、可動接点７の両側の直線状部分の垂直二等分線上を避けるように、該垂直二等分線と平行であって、可動接点７の両側の直線状部分と直交する１本の直線上で周辺固定接点パターン３の外周側へ引き出された状態となっており、よって中央固定接点パターン２の引出部４は、可動接点７の切り欠かれた両側の直線状部分のどちらか一方の中点部分の直下を避けるように、該中点部分から一端側へずれた部分の直下を絶縁ギャップを持って通過して、該可動接点７の外周側へ引き出された状態となっている。
【００３３】
ここで、中央固定接点パターン２の引出部４は、切れ間３ａを通して周辺固定接点パターン３の外周側へ引き出すだけでも、可動接点７の搭載時、該可動接点７の切り欠かれた両側の直線状部分のどちらか一方の中点部分の直下を避けるように、該中点部分から一端側へずれた部分の直下を絶縁ギャップを持って通過するものの、該絶縁ギャップだけでは可動接点７との間で電気的な絶縁が確実に確保されているとは言いくい。そこで、絶縁フィルム６に孔部６ａ内に突出する突出部９を設け、中央固定接点パターン２の引出部４は、突出部９により被覆し、可動接点７の切り欠かれた両側の直線状部分のどちらか一方の中点部分を避けるように、該中点部分から一端側へずれた部分との間に突出部９を介在させることにより、可動接点７との間で電気的な絶縁を確保している。
【００３４】
実施例１のスイッチの動作は、可動接点７のドーム形状の反映された粘着シート８の上にキートップ等を配し、粘着シート８の中央部をキートップを介して押圧操作すると、可動接点７の中央部が下方凸状に反転動作して、クリック感触が生起され、可動接点７の中央部が中央固定接点パターン２に当接し、中央固定接点パターン２と周辺固定接点パターン３との間が可動接点７を介して電気的に導通接続されたスイッチオン状態となり、また、押圧を解除すると、可動接点７の下方凸状に反転している中央部がそのバネ性により元の上方凸状に復帰し、よって可動接点７の中央部が中央固定接点パターン２から離間してスイッチオフ状態となる。
【００３５】
実施例１のスイッチの組み立ては、絶縁基板１の上面に絶縁フィルム６を重ね合わせて絶縁フィルム６を加熱・加圧し、絶縁フィルム６の下面に設けられた接着剤によって絶縁フィルム６を絶縁基板１に接着した後、予め可動接点７が貼着された粘着シート８を絶縁フィルム６に貼り合せることにより、可動接点７を孔部６ａ内の周辺固定接点パターン３上に載置して保持することによって完了する。
【００３６】
以上説明したような実施例１のスイッチは、以下のような効果を奏する。
【００３７】
実施例１のスイッチは、絶縁基板１と、該絶縁基板１の一面に形成された中央固定接点パターン２と、該中央固定接点パターン２を包囲するように前記絶縁基板１の一面に形成された周辺固定接点パターン３と、押圧により変形可能なバネ性を有する金属薄板からなり、上面視円形の対向する両側部が平行な直線で切り欠かれた小判形で、上方に膨らんだ球面のドーム状に形成され、前記中央固定接点パターン２を跨いで前記周辺固定接点パターン３上に載置される可動接点７とを備え、前記中央固定接点パターン２には、前記可動接点７の切り欠かれた両側の直線状部分の垂直二等分線上を避けて、前記可動接点７の切り欠かれた両側の直線状部分のどちらか一方の下側を通過し、該中央固定接点パターン２から前記可動接点７の外周側へ引き出す引出部４が設けられ、前記周辺固定接点パターン３には、前記引出部４を通して該周辺固定接点パターン３の外周側へ引き出すための切れ間３ａが設けられ、前記引出部４が、該引出部４と前記可動接点７との間で電気的な絶縁を確保するための絶縁体（突出部）９により被覆されていることから、前記可動接点７の中心より前記引出部４の引き出し方向で偏心押しされた場合でも、前記可動接点７は動作時に前記絶縁体９に干渉しにくく又は干渉しなくなり、押圧により変形可能なバネ性を有する小判形のドーム状金属薄板からなる可動接点７を使用しながら、偏心押しに対するクリック感触のバラつきを抑制し、安定したクリック感触を得ることができるスイッチを提供することができる。
【００３８】
また、前記引出部４が、前記可動接点７の切り欠かれた両側の直線状部分の垂直二等分線と平行であって、前記可動接点７の切り欠かれた両側の直線状部分と直交する直線上で１本引き出されていることから、前記可動接点７の切り欠かれた両側の直線状部分の垂直二等分線と平行な１本の引出部４により、従来と同等の省スペースで前記中央固定接点パターン２を前記周辺固定接点パターン３の外周側へ引き出しながら、前記可動接点７の前記絶縁体９との干渉を抑制することができる。
【実施例２】
【００３９】
続いて、本発明の実施例２のスイッチを図２（Ａ），図２（Ｂ）により説明する。図２（Ａ）は同スイッチの上面図、図２（Ｂ）は同スイッチの断面図である。
【００４０】
両図に示すように実施例２のスイッチは、導電性の材料からなる同心な２つの内外接点を構成する内側接点である円形の中央固定接点パターン１２と該中央固定接点パターン１２を絶縁ギャップを介して包囲する外側接点である小判形環状の周辺固定接点パターン１３とが絶縁基板１１の上面に形成されており、該絶縁基板１１の上面において、中央固定接点パターン１２の外周部の一部分と該一部分と位置の異なる一部分が中央固定接点パターン１２の中心を通り、且つ、周辺固定接点パターン１３の両側の直線状部分のそれぞれの中点を通り、周辺固定接点パターン１３の両側の直線状部分と直交する１本の直線上、すなわち、周辺固定接点パターン１３の両側の直線状部分の垂直二等分線上を避けるように、該垂直二等分線を対称軸とし、可動接点１７の切り欠かれた両側の直線状部分と直交する平行な２本の直線上で周辺固定接点パターン１３の外周側へ引き出され、該２本の引出部１４ａ，１４ｂが少なくとも後述する可動接点１７の外周側、望ましくは図例のように周辺固定接点パターン１３の外周側で１本化された後にさらに任意の方向へ延長、引き回しされて中央固定接点パターン１２の配線パターンとされ、また、周辺固定接点パターン１３の外周部の一部分が中央固定接点パターン１２の２本の引出部１４ａ，１４ｂと交差等して電気的に導通接続しないように周辺固定接点パターン１３の外周側へ引き出され、該引出部１５がさらに任意の方向へ延長、引き回しされて周辺固定接点パターン１３の配線パターンとされている。
【００４１】
ここで、中央固定接点パターン１２の２本の引出部１４ａ，１４ｂは、周辺固定接点パターン１３で包囲された中央固定接点パターン１２から周辺固定接点パターン１３の外周側へ引き出されるため、周辺固定接点パターン１３が完全に閉じた環状に形成されていると、中央固定接点パターン１２の２本の引出部１４ａ，１４ｂは、周辺固定接点パターン１３の一部分と該一部分と位置の異なる一部分（周辺固定接点パターン１３の両側の直線状部分のどちらか一方の中点部分を避けるように、該中点部分から等距離に一端側へずれた部分と他端側へずれた部分）と交差して電気的に導通接続してしまう。そこで、周辺固定接点パターン１３の一部分から該一部分と位置の異なる一部分に亘る部分（中央固定接点パターン１２の一方の引出部１４ａと交差する部分から他方の引出部１４ｂと交差する部分に亘る部分）に切れ間１３ａを設け、周辺固定接点パターン１３を一部分開放の環状（Ｃ字状）とし、中央固定接点パターン１２の２本の引出部１４ａ，１４ｂは、一つの切れ間１３ａを通して周辺固定接点パターン１３の外周側へ引き出すことにより、周辺固定接点パターン１３との間で電気的な絶縁を確保している。
【００４２】
そして、絶縁基板１１の上面には、絶縁フィルム（カバーレイ）１６が接着剤で固定されており、該絶縁フィルム１６に設けられた小判形の孔部１６ａから中央固定接点パターン１２と周辺固定接点パターン１３とが露出され、中央固定接点パターン１２の２本の引出部１４ａ，１４ｂの連結部１４ｃ及び該連結部を介して１本化された後の延長部である配線パターンと周辺固定接点パターン１３の引出部１５の延長部である配線パターンとが絶縁フィルム１６により被覆され保護されている。
【００４３】
また、絶縁フィルム１６の孔部１６ａ内には、上述の実施例１のスイッチで使用した可動接点７と同一の可動接点１７が中央固定接点パターン１２と該中央固定接点パターン１２の２本の引出部１４ａ，１４ｂを跨いで、該可動接点１７が切り欠かれた両側の直線状部分と直角の方向で対向している両端の円弧状部分で構成された下端周縁部を周辺固定接点パターン１３の両側の直線状部分と直角の方向で対向している両端の円弧状部分の上に載置して収容され、該可動接点１７が粘着シート１８により絶縁基板１１に貼着保持されている。この際、可動接点１７は、可動接点１７の両端の下端周縁部が周辺固定接点パターン１３と当接した状態となっていると共に、可動接点１７の中央部が中央固定接点パターン１２と離間対向した状態となっている。上面視において、中央固定接点パターン１２の２本の引出部１４ａ，１４ｂは、可動接点１７に対しても、該可動接点１７の中心を通り、且つ、可動接点１７の切り欠かれた両側の直線状部分のそれぞれの中点を通り、可動接点１７の両側の直線状部分と直交する１本の直線上、すなわち、可動接点１７の両側の直線状部分の垂直二等分線上を避けるように、該垂直二等分線を対称軸とし、可動接点１７の両側の直線状部分と直交する平行な２本の直線上で周辺固定接点パターン１３の外周側へ引き出された状態となっており、よって中央固定接点パターン１２の２本の引出部１４ａ，１４ｂは、可動接点１７の切り欠かれた両側の直線状部分のどちらか一方の中点部分の直下を避けるように、該中点部分から等距離に一端側へずれた部分の直下と他端側へずれた部分の直下とをそれぞれ絶縁ギャップを持って通過して、該可動接点１７の外周側へ引き出された状態となっている。
【００４４】
ここで、中央固定接点パターン１２の２本の引出部１４ａ，１４ｂは、一つの切れ間１３ａを通して周辺固定接点パターン１３の外周側へ引き出すだけでも、可動接点１７の搭載時、該可動接点１７の切り欠かれた両側の直線状部分のどちらか一方の中点部分の直下を避けるように、該中点部分から等距離に一端側へずれた部分の直下と他端側へずれた部分の直下とをそれぞれ絶縁ギャップを持って通過するものの、該絶縁ギャップだけでは可動接点１７との間で電気的な絶縁が確実に確保されているとは言いくい。そこで、絶縁フィルム１６に孔部１６ａ内に突出する突出部１９を設け、中央固定接点パターン１２の２本の引出部１４ａ，１４ｂは、突出部１９により一体的に被覆し、突出部１９の上面における、一方の引出部１４ａの断面形状の反映された一方の突条部１９ａと他方の引出部１４ｂの断面形状の反映された他方の突条部１９ｂとの間に形成される溝部１９ｃを可動接点１７の切り欠かれた両側の直線状部分のどちらか一方の中点部分に対向させて、該可動接点１７の中点部分から等距離に一端側へずれた部分と他端側へずれた部分に亘る部分に突出部１９を介在させることにより、可動接点１７との間で電気的な絶縁を確保している。
【００４５】
実施例２のスイッチの動作は、可動接点１７のドーム形状の反映された粘着シート１８の上にキートップ等を配し、粘着シート１８の中央部をキートップを介して押圧操作すると、可動接点１７の中央部が下方凸状に反転動作して、クリック感触が生起され、可動接点１７の中央部が中央固定接点パターン１２に当接し、中央固定接点パターン１２と周辺固定接点パターン１３との間が可動接点１７を介して電気的に導通接続されたスイッチオン状態となり、また、押圧を解除すると、可動接点１７の下方凸状に反転している中央部がそのバネ性により元の上方凸状に復帰し、よって可動接点１７の中央部が中央固定接点パターン１２から離間してスイッチオフ状態となる。
【００４６】
実施例２のスイッチの組み立ては、絶縁基板１１の上面に絶縁フィルム１６を重ね合わせて絶縁フィルム１６を加熱・加圧し、絶縁フィルム１６の下面に設けられた接着剤によって絶縁フィルム１６を絶縁基板１１に接着した後、予め可動接点１７が貼着された粘着シート１８を絶縁フィルム１６に貼り合せることにより、可動接点１７を孔部１６ａ内の周辺固定接点パターン１３上に載置して保持することによって完了する。
【００４７】
以上説明したような実施例２のスイッチは、以下のような効果を奏する。
【００４８】
実施例２のスイッチは、実施例１のスイッチと同様に、絶縁基板１１と、該絶縁基板１１の一面に形成された中央固定接点パターン１２と、該中央固定接点パターン１２を包囲するように前記絶縁基板１１の一面に形成された周辺固定接点パターン１３と、押圧により変形可能なバネ性を有する金属薄板からなり、上面視円形の対向する両側部が平行な直線で切り欠かれた小判形で、上方に膨らんだ球面のドーム状に形成され、前記中央固定接点パターン１２を跨いで前記周辺固定接点パターン１３上に載置される可動接点１７とを備え、前記中央固定接点パターン１２には、前記可動接点１７の切り欠かれた両側の直線状部分の垂直二等分線上を避けて、前記可動接点１７の切り欠かれた両側の直線状部分のどちらか一方の下側を通過し、該中央固定接点パターン１２から前記可動接点１７の外周側へ引き出す引出部１４ａ，１４ｂが設けられ、前記周辺固定接点パターン１３には、前記引出部１４ａ，１４ｂを通して該周辺固定接点パターン１３の外周側へ引き出すための切れ間１３ａが設けられ、前記引出部１４ａ，１４ｂが、該引出部１４ａ，１４ｂと前記可動接点１７との間で電気的な絶縁を確保するための絶縁体（突出部）１９により被覆されていることから、前記可動接点１７の中心より前記引出部１４ａ，１４ｂの引き出し方向で偏心押しされた場合でも、前記可動接点１７は動作時に前記絶縁体１９に干渉しにくく又は干渉しなくなり、押圧により変形可能なバネ性を有する小判形のドーム状金属薄板からなる可動接点１７を使用しながら、偏心押しに対するクリック感触のバラつきを抑制し、安定したクリック感触を得ることができるスイッチを提供することができる。
【００４９】
また、前記引出部１４ａ，１４ｂが、前記可動接点１７の切り欠かれた両側の直線状部分の垂直二等分線を対称軸とし、前記可動接点１７の切り欠かれた両側の直線状部分と直交する平行な２本の直線上で２本引き出されていることから、前記可動接点１７の切り欠かれた両側の直線状部分の垂直二等分線を対称軸とする平行な２本の引出部１４ａ，１４ｂにより、導電信頼性を確保しながら前記各引出部１４ａ，１４ｂの線幅を細くし、前記可動接点１７の切り欠かれた両側の直線状部分の垂直二等分線と前記各引出部１４ａ，１４ｂとの間の距離（この距離×２＝前記各引出部１４ａ，１４ｂの線間ギャップ）を大きく確保して、前記可動接点１７の前記絶縁体１９との干渉を抑制することができる。
【００５０】
以上、本発明の実施形態を説明したが、本発明はそれに限定されず本発明の要旨を変更しない範囲内で種々変更実施することができる。
【００５１】
例えば、中央固定接点パターンの引出部については、少なくとも可動接点の切り欠かれた両側の直線状部分の一方の下側を通過するまで、該可動接点の切り欠かれた両側の直線状部分の垂直二等分線上を避けて引き出されていればよいので、本数は、１本、２本に限らずそれ以上であってもよく、また、可動接点の切り欠かれた両側の直線状部分の垂直二等分線と平行な直線状に限らず、引き出し方向に沿って可動接点の切り欠かれた両側の直線状部分の垂直二等分線との間の距離が変化（増減）するような傾きを持った直線状のもの、湾曲したもの、屈曲したものでもよい。但し、可動接点の切り欠かれた両側の直線状部分の垂直二等分線と交差するようなものの場合は、少なくとも可動接点の外周側、望ましくは周辺固定接点パターンの外周側で交差するものに限る。
【００５２】
また、引出部を被覆する絶縁体については、少なくとも引出部を絶縁性の材料で被覆し可動接点との間で絶縁を確保できればよいので、絶縁基板のカバーレイを形成する絶縁フィルム（例えば、ポリイミドフィルムやポリエチレンテレフタラート等の樹脂フィルム）の一部からなるものの他、該絶縁フィルムとは別体の絶縁フィルム、引出部の表面に塗布されるレジストであってもよい。
【００５３】
また、引出部が複数本の場合、一つの絶縁体で一括に被覆するものの他、各引出部を個別に被覆するものであってもよい。この場合、可動接点の切り欠かれた両側の直線状部分の垂直二等分線上から引出部は勿論、絶縁体もなくすことができる。
【符号の説明】
【００５４】
１，１１  絶縁基板
２，１２  中央固定接点パターン
３，１３  周辺固定接点パターン
３ａ，１３ａ  切れ間
４，１４ａ，１４ｂ  引出部
７，１７  可動接点
９，１９  突出部（絶縁体）
【図１】
0005719708.tif 000002
【図２】
0005719708.tif 000003
【図３】
0005719708.tif 000004
【図４】
0005719708.tif 000005